(57)【要約】【課題】  従来のプラズマディスプレイの駆動方法は、例えば、Ａ電極とＹ電極との間で補助放電を行って表示放電の発光効率を向上させるようにしていたが、Ａ電極とＹ電極との間には蛍光体層が存在するため、蛍光体層が放電に晒されて特性が劣化するという課題があった。【解決手段】  １つの表示セルに対して表示放電に使用する少なくとも３本の表示電極Ｘ，Ｙ，Ｚを設け、該表示電極と放電空間との間には蛍光体層が形成されていない構造のプラズマディスプレイパネルの駆動方法であって、前記表示電極の少なくとも１本の表示電極Ｚの電位を前記表示放電中に変化させ、該表示放電の開始時および終了時において、当該少なくとも１本の表示電極Ｚの電位を異ならせるように構成する。【選択図】      図７
2006184514.tif 000002
【特許請求の範囲】
【請求項１】
１つの表示セルに対して表示放電に使用する少なくとも３本の表示電極を設け、該表示電極と放電空間との間には蛍光体層が形成されていない構造のプラズマディスプレイパネルの駆動方法であって、
前記表示電極の少なくとも１本の表示電極の電位を前記表示放電中に変化させ、該表示放電の開始時および終了時において、当該少なくとも１本の表示電極の電位を異ならせるようにしたことを特徴とするプラズマディスプレイパネルの駆動方法。
【請求項２】
請求項１に記載のプラズマディスプレイパネルの駆動方法において、前記表示セルは、前記表示電極が伸びる方向と略垂直方向に隣接する表示セルの間に設けられたバリア電極によって放電空間が仕切られることを特徴とするプラズマディスプレイパネルの駆動方法。
【請求項３】
請求項２に記載のプラズマディスプレイパネルの駆動方法において、前記プラズマディスプレイパネルはＡＬＩＳ構造のパネルであり、
偶数フレームでは、該偶数フレームのセルとして設けられた連続する３本の組みの電極を前記表示電極として使用し、該３本の組みの表示電極の中央の電極の電位を前記表示放電の開始時および終了時において異ならせると共に、該偶数フレームの隣接するセル間の電極を該偶数フレームのバリア電極として使用し、且つ、
奇数フレームでは、該奇数フレームのセルとして設けられた前記偶数フレームにおけるバリア電極を中央の電極とした連続する３本の組みの電極を前記表示電極として使用し、該３本の組みの表示電極の中央の電極の電位を前記表示放電の開始時および終了時において異ならせると共に、前記偶数フレームの中央の電極を該奇数フレームのバリア電極として使用することを特徴とするプラズマディスプレイパネルの駆動方法。
【請求項４】
請求項１に記載のプラズマディスプレイパネルの駆動方法において、
前記表示電極の少なくとも１本の表示電極の電位を前記表示放電の開始時および終了時において異ならせる第１の駆動波形と、
前記表示電極の少なくとも１本の表示電極の電位を前記表示放電中に変化させない第２の駆動波形を備え、
前記プラズマディスプレイパネルの表示負荷率が小さい時は、前記第１の駆動波形の比率を小さくして前記第２の駆動波形の比率を大きくし、且つ、該プラズマディスプレイパネルの表示負荷率が大きくなるに従って前記第１の駆動波形の比率が大きくして前記第２の駆動波形の比率を小さくして駆動を行うことを特徴とするプラズマディスプレイパネルの駆動方法。
【請求項５】
複数のＸ電極、該複数のＸ電極に略平行に配置され、該複数のＸ電極との間に放電を発生させる複数のＹ電極、および、該各Ｘ電極と該各Ｙ電極との間にそれぞれ設けられた複数のＺ電極を有するプラズマディスプレイパネルと、
該プラズマディスプレイパネルを駆動するドライバと、
画像信号を受け取って前記プラズマディスプレイパネルに適した画像データに変換すると共に、前記ドライバを介して前記プラズマディスプレイパネルを駆動する制御回路と、を備えるプラズマディスプレイ装置であって、
１つのセルを前記Ｘ電極および前記Ｙ電極と、該Ｘ電極および該Ｙ電極間の中央Ｚ電極で構成し、該中央Ｚ電極の電位を表示放電中に変化させ、該表示放電の開始時および終了時において、当該中央Ｚ電極の電位を異ならせるようにしたことを特徴とするプラズマディスプレイ装置。
【請求項６】
請求項５記載のプラズマディスプレイ装置において、
第１の基板には、前記Ｘ電極，前記Ｙ電極および前記Ｚ電極が形成され、
該第１の基板に対向する第２の基板には、前記Ｘ電極，前記Ｙ電極および前記Ｚ電極の何れかとアドレス放電を行うＡ電極および蛍光体層が形成されていることを特徴とするプラズマディスプレイ装置。
【請求項７】
請求項５に記載のプラズマディスプレイ装置において、前記プラズマディスプレイパネルはストレートリブ構造のパネルであり、前記Ｘ電極，前記Ｙ電極および前記Ｚ電極に直交する方向で隣接するセル間の前記Ｚ電極を、該隣接するセルの放電空間を仕切るバリアＺ電極として使用することを特徴とするプラズマディスプレイ装置。
【請求項８】
請求項７に記載のプラズマディスプレイ装置において、前記プラズマディスプレイパネルはＡＬＩＳ構造のパネルであり、
偶数フレームでは、該偶数フレームのセルにおける前記中央Ｚ電極の電位を前記表示放電の開始時および終了時において異ならせると共に、該偶数フレームの隣接するセル間の前記Ｚ電極を該偶数フレームのバリア電極として使用し、且つ、
奇数フレームでは、該奇数フレームのセルにおける前記中央Ｚ電極の電位を前記表示放電の開始時および終了時において異ならせると共に、前記偶数フレームの中央Ｚ電極を該奇数フレームのバリア電極として使用することを特徴とするプラズマディスプレイ装置。
【請求項９】
請求項５に記載のプラズマディスプレイ装置において、前記Ｚ電極上には誘電体層が設けられず、該Ｚ電極が放電空間に露出していることを特徴とするプラズマディスプレイ装置。
【請求項１０】
１つの表示セルに対して表示放電に使用する少なくとも３本の表示電極が設けられ、該表示電極と放電空間との間には蛍光体層が形成されていない構造のプラズマディスプレイパネルと、
該プラズマディスプレイパネルを駆動するドライバと、
画像信号を受け取って前記プラズマディスプレイパネルに適した画像データに変換すると共に、前記ドライバを介して前記プラズマディスプレイパネルを駆動する制御回路と、を備えるプラズマディスプレイ装置であって、前記請求項１〜４のいずれか１項に記載のプラズマディスプレイパネルの駆動方法を適用したことを特徴とするプラズマディスプレイ装置。
【発明の詳細な説明】
【技術分野】
【０００１】
本発明は、プラズマディスプレイパネル（ＰＤＰ：Plasma Display Panel）の駆動方法およびプラズマディスプレイ装置に関する。
【背景技術】
【０００２】
近年、平面型の表示装置として面放電を行う交流型プラズマディスプレイ装置が実用化され、パーソナルコンピュータやワークステーション等の表示装置、平面型の壁掛けテレビジョン、或いは、広告や情報等を表示するための装置として広く使用されている。面放電を行うプラズマディスプレイ装置は、前面ガラス基板の内面に一対の電極が形成され、内部に希ガスが封入された構造になっており、電極間に電圧を印加すると、電極面上に形成された誘電体層および保護層の表面で面放電が起こり、紫外線が発生する。そして、背面ガラス基板の内面には、３原色である赤色（Ｒ）、緑色（Ｇ）および青色（Ｂ）の蛍光体が塗布されており、紫外線によりこれらの蛍光体を励起発光させることによってカラー表示を行うようになっている。
【０００３】
図１は従来のプラズマディスプレイ装置の一例を概略的に示すブロック図であり、三電極面放電交流駆動型プラズマディスプレイパネル（ＰＤＰ）を用いたプラズマディスプレイ装置を示すものである。なお、図１に示すプラズマディスプレイ装置は、単なる一例であり、後述する本発明は図１に示す三電極面放電交流駆動型プラズマディスプレイ装置以外にも様々な構成の表示放電（維持放電）を行う表示装置に対して適用することができる。
【０００４】
プラズマディスプレイ装置１００は、ＰＤＰ１と、該ＰＤＰ１の各表示セル（放電セル）１０を駆動するためのＸドライバ７５，Ｙドライバ７７およびＡドライバ（アドレスドライバ）７９と、これら各ドライバを制御する制御回路（制御ブロック）７１と、電源回路７３とを備えて構成される。
【０００５】
ＰＤＰ１は、例えば、Ｒ，Ｇ，Ｂの各色の蛍光体を有する画素を複数配列し、各セル１０の蛍光体を紫外線で励起発光させることによってカラー表示を行うようになっており、行方向に設けられたＸ電極およびＹ電極と、列方向に設けられたＡ（アドレス）電極とを備えている。Ｘ電極，Ｙ電極およびＡ電極は、それぞれドライバコントローラ７３０によって制御されると共に、電源回路７３に接続されたＸドライバ７５，Ｙドライバ７７およびＡドライバ７９により駆動される。
【０００６】
制御ブロック７１は、データ変換回路７１０、フレームメモリ７２０、ドライバコントローラ７３０、ＡＰＣ（Auto Power Control：自動電力制御）演算回路７４０およびパルス数テーブル７５０を備える。制御ブロック７１には、ＴＶチューナやコンピュータ等の外部装置からＲ，Ｇ，Ｂの３色の輝度レベル（入力輝度レベル）を示すフレームデータＤｆ、並びに、図示しないドットクロックＣＬＫおよび各種の同期信号（水平同期信号Ｈsync，垂直同期信号Ｖsync等）が入力される。なお、フレームおよびサブフレームは、フィールドおよびサブフィールドとも呼ばれる。
【０００７】
データ変換回路７１０は、多値画像データであるフレームデータＤｆを２値画像の組み合わせによって階調を再現するためのサブフレームデータＤｓｆに変換する。サブフレームデータＤｓｆは、フレームメモリ７２０に格納された後、表示の進行に合わせてドライバコントローラ７３０によってＡドライバ７９へ転送され、セル１０の電荷量を発光の要否に対応させるアドレッシングに用いられる。
【０００８】
ＡＰＣ演算回路７４０およびパルス数テーブル７５０は、ＡＰＣのための構成要素であり、ＡＰＣ演算回路７４０は、サブフレームデータＤｓｆから表示負荷を求めて、最高階調に対する設定輝度Ｌ’を規定する。設定輝度Ｌ’は、最高階調を表示するセルの表示放電の回数を指定する制御情報である。
【０００９】
パルス数テーブル７５０には、１フレーム（Ｆ）を構成する複数のサブフレーム（ＳＦ）に対する発光量の配分が格納されており、設定輝度Ｌ’に応じた各サブフレームの表示パルス数ｆをドライバコントローラ７３０に通知する。これを受けて、ドライバコントローラ７３０は、各サブフレームの表示においてそのサブフレームに該当する表示パルス数ｆと同数の表示放電を生じさせる。ＡＰＣ演算回路７４０において設定輝度Ｌ’が決まった時点で、表示すべき階調のそれぞれとセルの輝度との対応関係、すなわち、各階調を再現するために１フレームにおいてセルに印加すべき表示パルスの総数が一義的に規定されるようになっている。
【００１０】
図２は図１に示すプラズマディスプレイ装置における駆動シーケンスを説明するための図である。
【００１１】
プラズマディスプレイ装置１００におけるＰＤＰ１の駆動は、２値の点灯制御によってカラー表示を行うために、一定周期で入力されるフレームＦのそれぞれをｎ個のサブフレームＳＦ１〜ＳＦｎに分割する。ここで、各サブフレームＳＦ１〜ＳＦｎは、それぞれ重みＷ１〜Ｗｎを有し、この重みに応じて表示放電の回数が決められている。なお、重みＷ１〜Ｗｎは、例えば、２の巾乗（１，２，４，８，１６，…）となるように決めてもよいが、フレーム分割階調表示に伴う動画偽輪郭の発生を抑えるために、例えば、複数の同じ重みのサブフレームを含める等の様々な設定を行うことができる。
【００１２】
このようなフレーム構成に合わせて、フレーム転送周期であるフレーム期間Ｔｆはｎ個のサブフレーム期間Ｔｓｆに分割され、各サブフレームＳＦに対して１つのサブフレーム期間Ｔｓｆを割り当てるようになっている。さらに、サブフレーム期間Ｔｓｆは、壁電荷の初期化を行うリセット期間ＴＲ、アドレッシングを行うアドレス期間ＴＡおよび点灯維持を行う表示期間（維持放電期間）ＴＳに分割される。ここで、リセット期間ＴＲおよびアドレス期間ＴＡの長さは、各サブフレームＳＦの重みに係わらず一定であるが、表示期間ＴＳの長さはサブフレームＳＦの重みが大きいほど放電回数が多くなるのでその長さも長くなる。
【００１３】
図３は図１に示すプラズマディスプレイ装置における駆動波形を概略的に示す図である。図３において、Ｙ電極の添字１〜ｖ（Ｙ１〜Ｙｖ）は配列の順位を示している。なお、図３に示す駆動波形は単なる一例であり、振幅・極性・タイミング等は様々なものがある。
【００１４】
各サブフレームＳＦのリセット期間ＴＲにおいて、全てのＸ電極に対して負極性および正極性のランプ波形パルスが順に印加され、また、全てのＹ電極（Ｙ１〜Ｙｖ）に対して正極性および負極性のランプ波形パルスが順に印加される。なお、電極へのパルス印加とは、電極を一時的にバイアスすることを意味する。
【００１５】
ここで、セル１０には、Ｘ電極およびＹ電極に与えられるパルスの振幅を加算した合成電圧が印加される。１回目のパルス印加で生じる微小放電は、前のサブフレームにおける点灯／非点灯に係わらず全てのセル１０に対して同一極性の壁電圧を生じさせ、また、２回目のパルス印加で起こる微小放電は、壁電圧を放電開始電圧と印加電圧の振幅との差に相当する値に調整する。
【００１６】
アドレス期間ＴＡにおいては、点灯すべきセルのみに点灯維持に必要な壁電荷を形成する。全てのＸ電極および全てのＹ電極を所定電位にバイアスした状態で、行選択期間（１行分のスキャン時間）毎に、選択行に対応した１つのＹ電極にスキャンパルスＰｙを印加する。この行選択と同時にアドレス放電を生じさせるべき選択セルに対応したＡ電極のみにアドレスパルスＰａを印加する。つまり、選択行のサブフレームデータＤｓｆに基づいてＡ電極の電位を２値制御する。これにより、選択セルではＹ電極とＡ電極との間の放電が生じ、それがトリガとなってＸ電極とＹ電極との間の放電が生じる。これら一連の放電がアドレス放電である。
【００１７】
表示期間ＴＳにおいては、表示パルス（維持パルス、サステインパルスとも呼ばれる）ＰｓをＹ電極とＸ電極とに交互に印加する。これにより、セルには極性が交互に入れ替わるパルス列が印加される。この表示パルスＰｓの印加によって、所定の壁電荷が残存するセルで表示放電が生じる。表示パルスＰｓの印加回数はサブフレームの重みに対応し、表示負荷に応じて調整される。
【００１８】
図４は従来のプラズマディスプレイ装置の一例における１つのセルの電極構造を模式的に示す図である。図４において、参照符号１１は前面側の基板、１２はＸ電極（Ｘ電極用の透明電極およびバス電極）、１３はＹ電極（Ｙ電極用の透明電極およびバス電極）、１４および１７は誘電体層、１５は背面側の基板、１６はアドレス電極（Ａ電極用の透明電極およびバス電極）、１８は蛍光体層を示している。
【００１９】
図４に示されるように、前面側の基板１１には、Ｘ電極１２およびＹ電極１３が平行に設けられ、さらに、Ｘ電極１２およびＹ電極１３を覆うように誘電体層１４が形成されている。背面側の基板１５には、対向する前面側の基板１１のＸ電極１２およびＹ電極１３に対して直交する方向にＡ電極１６が設けられ、さらに、Ａ電極１６を覆うように誘電体層１７および蛍光体層１８が形成されている。
【００２０】
そして、Ｘ電極１２およびＹ電極１３が設けられた前面側の基板１１とＡ電極１６が設けられた背面側の基板１５との間の空隙１９には、ネオンとキセノンの混合ガスなどの放電ガスが充填され、Ｘ電極１２およびＹ電極１３とＡ電極１６との交差部の放電空間が１つのセル１０を構成する。
【００２１】
ところで、従来、表示放電を行う放電開始電圧を低下させるために、Ｘ電極およびＹ電極間に細い補助電極を設け、この補助電極に放電維持パルス（表示放電パルス）の開始時点より遅くない時点で補助電極駆動パルスを印加して駆動するようにしたプラズマディスプレイ装置が提案されている（例えば、特許文献１参照）。また、従来、維持電極（表示電極：Ｘ電極およびＹ電極）が２本並んだ間にダミー電極を設け、書き込み期間に走査電極の電位と維持電極の電位の間の電位を印加することによって、書き込み時のクロストークを低減するようにしたＰＤＰが提案されている（例えば、特許文献２および３参照）。
【００２２】
さらに、従来、表示放電における輝度および発光効率を改善するために、点灯すべきセルに壁電荷を形成するアドレッシングの後、セルで表示放電とそれに引き続く壁電荷の再形成とを生じさせるべく、少なくとも一本の表示電極の電位を表示放電の開始時点と終了時点とで異なるように変化させると共に、表示電極以外の少なくとも１本の電極の電位を表示放電の開始時点と終了時点とで異なるように変化させるようにしたプラズマディスプレイの駆動方法が提案されている（例えば、特許文献４参照）。
【００２３】
また、従来、表示負荷が変化したときの不自然な明るさの変化を低減すると共に、突発的に消費電力が上昇しない安定した電力制御を実現するために、表示負荷の変化が緩やかな場合は発光量を少しだけ変更し、そのときの表示負荷の変化に対する電力制御の追従を遅くし、逆に、表示負荷の変化が急激な場合は発光量を大幅に変更し、そのときの電力制御の追従を速くするようにした表示デバイスの駆動方法および画像表示装置が提案されている（例えば、特許文献５参照）。
【００２４】
なお、従来、新たな表示放電用の波形を使用するデルタセル構造を用いた交流駆動型ＰＤＰも提案されている（例えば、非特許文献１参照）。
【００２５】
【特許文献１】特開２０００−２５１７４６号公報
【特許文献２】特開２００２−１３４０３３号公報
【特許文献３】特開２００２−３５２７２６号公報
【特許文献４】特開２００３−２４１７０８号公報
【特許文献５】特開２００４−１９１６１０号公報
【非特許文献１】瀬尾欣穂他（Y. Seo, et al.）著, "Highly Luminous-efficient AC-PAP with DelTA Cell Structure Using New Sustain Waveforms", SDI 03 DIGEST pp137-139, ２００３年５月発行
【発明の開示】
【発明が解決しようとする課題】
【００２６】
図５は従来のプラズマディスプレイ装置の一例における表示放電の駆動波形を概略的に示す図であり、上述した従来文献４に開示されたものを示している。
【００２７】
図５に示されるように、従来のプラズマディスプレイ装置の一例において、表示放電（維持放電）における輝度および発光効率を改善するために、Ｘ電極およびＹ電極間で表示放電（主放電）を行う場合、Ａ電極に対してＸ電極およびＹ電極への印加パルスに同期した短いパルス電圧を印加して主放電（ｄ２）のトリガーとなる補助放電（ｄ１）を行うようになっていた。なお、セル１０の構造は、例えば、前述した図４のようになっている。
【００２８】
すなわち、図４および図５に示されるように、従来のプラズマディスプレイの駆動方法は、Ａ電極１６に対して短いパルス電圧を与えて、Ａ電極１６とＹ電極１３との間およびＡ電極１６とＸ電極１２との間に補助放電（微小放電：ｄ１）を生じさせて、Ｘ電極１２およびＹ電極１３間の主放電（表示放電：ｄ２）における輝度および発光効率を改善するものであった。
【００２９】
しかしながら、この従来のプラズマディスプレイの駆動方法において、Ａ電極１６とＹ電極１３との間並びにＡ電極１６とＸ電極１２との間には蛍光体層１８が存在し、また、表示放電の回数は非常に多い（例えば、１フレーム当たり数千回程度）ために、蛍光体層１８が放電に晒されて特性が劣化する（蛍光体寿命が短縮される）という課題があった。
【００３０】
なお、アドレス放電に関しては、アドレス期間ＴＡ中にＡ電極１６およびＹ電極１３間で行われ、やはり蛍光体層１８が放電に晒されることになるが、その回数は、例えば、１フレーム当たり１０回程度（サブフレーム毎に１回）でよいため、実質的に蛍光体寿命に影響を与えることはない。
【００３１】
本発明は、上述したプラズマディスプレイパネルの駆動方法およびプラズマディスプレイ装置が有する課題に鑑み、表示放電における輝度および発光効率を改善しつつ、蛍光体層の特性劣化を抑制することを目的とする。
【課題を解決するための手段】
【００３２】
本発明の第１の形態によれば、１つの表示セルに対して表示放電に使用する少なくとも３本の表示電極を設け、該表示電極と放電空間との間には蛍光体層が形成されていない構造のプラズマディスプレイパネルの駆動方法であって、前記表示電極の少なくとも１本の表示電極の電位を前記表示放電中に変化させ、該表示放電の開始時および終了時において、当該少なくとも１本の表示電極の電位を異ならせるようにしたことを特徴とするプラズマディスプレイパネルの駆動方法が提供される。
【００３３】
本発明の第２の形態によれば、複数のＸ電極、該複数のＸ電極に略平行に配置され、該複数のＸ電極との間に放電を発生させる複数のＹ電極、および、該各Ｘ電極と該各Ｙ電極との間にそれぞれ設けられた複数のＺ電極を有するプラズマディスプレイパネルと、該プラズマディスプレイパネルを駆動するドライバと、画像信号を受け取って前記プラズマディスプレイパネルに適した画像データに変換すると共に、前記ドライバを介して前記プラズマディスプレイパネルを駆動する制御回路と、を備えるプラズマディスプレイ装置であって、１つのセルを前記Ｘ電極および前記Ｙ電極と、該Ｘ電極および該Ｙ電極間の中央Ｚ電極で構成し、該中央Ｚ電極の電位を表示放電中に変化させ、該表示放電の開始時および終了時において、当該中央Ｚ電極の電位を異ならせるようにしたことを特徴とするプラズマディスプレイ装置が提供される。
【発明の効果】
【００３４】
本発明によれば、表示放電における輝度および発光効率を改善しつつ、蛍光体層の特性劣化を抑制することができる。
【発明を実施するための最良の形態】
【００３５】
以下、本発明に係るプラズマディスプレイパネルの駆動方法およびプラズマディスプレイ装置の実施例を、添付図面を参照して詳述する。
【００３６】
図６は本発明に係るプラズマディスプレイ装置の一実施例における１つのセルの電極構造を模式的に示す図であり、図７は本発明に係るプラズマディスプレイ装置の一実施例における表示放電の駆動波形を概略的に示す図である。
【００３７】
図６と図４との比較から明らかなように、本実施例のプラズマディスプレイ装置の表示セル１０は、図４を参照して説明した従来のセルに対において、Ｘ電極１２とＹ電極１３との間にＺ電極２０を設けるようになっている。すなわち、セル１０は、前面側の基板１１に設けられたＸ電極１２，Ｚ電極２０およびＹ電極１３、並びに、背面側の基板１５に設けられたＡ電極１６の４本の電極を備えて構成される。なお、前面側の基板１１と背面側の基板１５との間の空隙１９には、ネオンとキセノンの混合ガスなどの放電ガスが充填されるのは、図４に示す従来のセルと同様である。
【００３８】
そして、図７に示されるように、Ｚ電極（中央Ｚ電極）２０の電位を表示期間（維持放電期間ＴＳ）における表示放電中に変化させ、放電開始時Ｐｄｓと放電終了時Ｐｄｅとでその電位を異ならせるようになっている。
【００３９】
すなわち、図７に示されるように、例えば、Ｘ電極１２を電圧＋Ｖｓに立ち上げると共に、Ｙ電極１３を電圧−Ｖｓに立ち下げて表示放電を行う場合、Ｘ電極電位の立ち上がり（Ｙ電極電位の立ち下がり）に同期させてＺ電極２０の電位を＋Ｖｓへ立ち上げる。これにより、電極間距離の短いＸ−Ｚ電極間に主放電のトリガーとなる補助放電Ｄ１が生じる。
【００４０】
さらに、Ｘ電極電位の立ち上がりから所定時間後に、電圧＋ＶｓのＺ電極２０の電位を−Ｖｓへ反転させる。これにより、Ｙ−Ｚ電極間の微小放電Ｄ２およびＸ−Ｙ電極間の主放電Ｄ３が生じる。ここで、Ｘ−Ｙ電極間の主放電（表示放電）Ｄ３は、Ｘ−Ｚ電極間の補助放電Ｄ１（Ｙ−Ｚ電極間の微小放電Ｄ２）の直後に行うことになるため、表示放電における輝度および発光効率を改善することができる。
【００４１】
このことは、Ｘ電極１２とＹ電極１３との間隔を長く（例えば、２００〜２５０μｍ以上）した場合にも、従来の表示電圧（維持放電電圧）Ｖｓのまま表示放電を行うことが可能となり、長距離放電（Ｘ−Ｙ電極間の距離を２００〜２５０μｍ以上とした場合の表示放電）による高い発光効率の効果を享受することができる。
【００４２】
また、本実施例によれば、補助放電Ｄ１（微小放電Ｄ２）は、間に蛍光体層１８が存在しないＸ−Ｚ電極間（Ｙ−Ｚ電極間）で生じるため、蛍光体の特性劣化を抑制することができる。
【００４３】
なお、Ｘ電極１２およびＹ電極１３に印加される電圧が逆極性の場合（Ｘ電極１２が電圧−Ｖｓに立ち下がると共に、Ｙ電極１３が電圧＋Ｖｓに立ち上がる場合）、Ｚ電極２０も上述したのとは逆極性の電圧が印加されて同様の放電発光が生じることになる。
【００４４】
図８は本発明に係るプラズマディスプレイ装置の一実施例における表示パネルの全体的な電極構造を模式的に示す図であり、４電極ＡＬＩＳ（Alternate Lighting of Surfaces）構造の表示パネルを示している。ここで、図８（ａ）はパネルの平面図であり、図８（ｂ）は図８（ａ）におけるラインＬ１−Ｌ１に沿って切断した断面図である。なお、図８（ａ）において、Ｒは隔壁（リブ）を示している。
【００４５】
図８（ｂ）に示されるように、電極Ｘ１，Ｚｅ，Ｙ１，Ｚｏ，Ｘ２，Ｚｅ，Ｙ２，Ｚｏ，Ｘ１，Ｚｅ，Ｙ１（Ｘ電極１２，Ｙ電極１３，Ｚ電極２０）並びに誘電体層１４は前面側の基板１１に形成され、また、ＡおよびＲ（Ａ電極１６および隔壁Ｒ），誘電体層１７並びに蛍光体層１８は背面側の基板１５に形成されている。
【００４６】
ＡＬＩＳ駆動においては、偶数フレームＦｅと奇数フレームＦｏで発光する表示セルの位置が変わり、表示に用いられる電極の組み合わせが変わる。具体的に、図８（ａ）および図８（ｂ）に示されるように、偶数フレームＦｅにおいては表示電極Ｘ１，Ｚｅ，Ｙ１，Ａが一つの組になり、表示電極Ｘ２，Ｚｅ，Ｙ２，Ａがもう一つの組になる。このとき、電極Ｚｏは、表示電極としては使用せずに、例えば、グランド電位（０Ｖ）に固定して表示セル間の干渉を抑制するためのバリア電極として用いる。
【００４７】
また、奇数フレームＦｏにおいては表示電極Ｙ１，Ｚｏ，Ｘ２，Ａが一つの組になり、表示電極Ｙ２，Ｚｏ，Ｘ１，Ａがもう一つの組になる。このとき、電極Ｚｅは、表示電極としては使用せずに、例えば、グランド電位に固定して表示セル間の干渉を抑制するためのバリア電極として用いる。
【００４８】
ここで、バリア電極を設けることによる表示セル間の干渉の抑制は、図８に示す４電極ＡＬＩＳ構造のパネルに限定されるものではなく、例えば、隔壁ＲがＡ電極と平行する方向のみに設けられたストレートリブ構造のパネルに対しても同様の効果が得られるのはいうまでもない。
【００４９】
そして、偶数フレームＦｅにおける表示電極Ｚｅおよび奇数フレームＦｏにおける表示電極Ｚｏは、図６および図７を参照して説明したＺ電極２０として、表示放電中に電位を変化させ、放電開始時Ｐｄｓと放電終了時Ｐｄｅとでその電位を異ならせるようにして、表示放電における輝度および発光効率の改善を行うようになっている。
【００５０】
図９は本発明に係るプラズマディスプレイ装置の一実施例における１つのセルの電極構造を説明するための図であり、実際に実験に用いた電極構造を示している。なお、実験は、偶数フレーム（Ｆｅ）に固定して行った。また、図１０および図１１は本発明に係るプラズマディスプレイ装置の一実施例における表示放電の駆動波形を概略的に示す図である。
【００５１】
図９に示されるように、Ｘ電極１２を、金属（Ｃｒ／Ｃｕ／Ｃｒ）よりなるバス電極１２１、および、放電が生じる先端をＴ字型部１２２ａとした透明電極（ＩＴＯ）１２２で構成し、また、Ｙ電極１３も、金属よりなるバス電極１３１、および、放電が生じる先端をＴ字型部１３２ａとした透明電極１３２で構成した。さらに、Ｚ電極２０を、金属よりなるバス電極２０１、および、放電が生じる先端をＸおよびＹ電極のＴ字型部に対応した形状部２０２ａとした透明電極２０２で構成した。
【００５２】
また、ＸおよびＹ電極のバス電極１２１および１３１の幅を８０μｍとし、ＸおよびＹ電極の透明電極１２２および１３２のＴ字型部を除いた部分の幅を１００μｍとし、Ｚ電極のバス電極２０１の幅を２５μｍとし、Ｚ電極の透明電極２０２のＴ字型部に対応する形状部を除いた部分の幅を５０μｍとし、Ｚ電極の透明電極２０２のＴ字型部に対応する形状部２０２ａの幅Ｔｗを５０μｍとした。さらに、ＸおよびＹ電極（透明電極のＴ字型部１２２ａおよび１３２ａ）とＺ電極（透明電極のＴ字型部に対応した形状部２０２ａ）との距離（ギャップ）Ｔｇを２５０μｍとした。
【００５３】
この図９に示す放電セルに対して図１０に示す駆動波形（前述した図７における駆動波形に相当）を印加し、表示電圧（維持放電電圧）Ｖｓを８５Ｖとして駆動したところ、発光効率は１．４５  ｌｍ／Ｗであった。なお、図９に示す放電セルに対して、放電中にＺ電極（Ｚｅ）の電位を変化させない図１１に示す駆動波形を印加し、表示電圧Ｖｓを８５Ｖとして駆動した場合の発光効率は１．２０  ｌｍ／Ｗであった。
【００５４】
このように、図１０（図７）に示すようなＺ電極の電位を表示期間における表示放電中に変化させ、放電開始時（Ｐｄｓ）と放電終了時（Ｐｄｅ）とでその電位を異ならせた場合の発光効率は、放電中にＺ電極の電位を変化させない場合の発光効率よりも十分に大きくなることが分かる。また、Ｚ電極２０は、Ｘ電極１２およびＹ電極１３が設けられた前面側の基板（１１）に形成されているため、Ｘ−Ｚ電極間およびＹ−Ｚ電極間の放電（補助放電）により背面側の基板（１５）に設けられた蛍光体層（１８）の特性劣化が生じることは殆どない。
【００５５】
図１２および図１３は本発明に係るプラズマディスプレイ装置の他の実施例における表示放電の駆動波形の切り換えを説明するための図であり、図１２は表示負荷率と電力の関係を概念的に示す図であり、また、図１３は駆動波形の切り換えを説明するための図である。
【００５６】
図１２において、曲線Ｐ１はパネルで消費される全電力を示し、曲線Ｐ２は上述した図１０の駆動波形を適用した場合の無効電力（充放電電力）を示し、そして、曲線Ｐ３は図１１の駆動波形を適用した場合の無効電力を示している。ここで、放電電力は、全電力（Ｐ１）から無効電力（Ｐ２，Ｐ３）を差し引いたものとなっている。
【００５７】
プラズマディスプレイパネルにおいては、消費電力に上限を設け、表示負荷率が所定の値（ＰＰ）を超えると表示放電の周波数を順次下げて消費電力を一定にする自動電力制御（ＡＰＣ）を行っている。
【００５８】
ところで、パネルで消費される電力は、パネルの電極間容量の充放電で消費される無効電力と、放電発光に消費される放電電力に分かれる。表示負荷率が低く、表示放電の周波数が高くなるほど、パネルの充放電電流が大きくなるため無効電力は大きくなり、放電発光に使用される放電電力は小さくなる。逆に、表示負荷率が高く、表示放電の周波数が低くなると、パネルの充放電電流が小さくなるため無効電力は小さくなり、放電発光に使用される放電電力は大きくなる。
【００５９】
一方、表示放電中にＺ電極の電位を変化させる駆動波形（図１０の駆動波形）によりパネルを駆動すると、放電発光に消費される電力を低く抑える（発光効率を高くする）ことはできるが、電極間電圧の変化回数が多いため、図１２中の曲線Ｐ２に示されるように、パネルの電極間容量の充放電電力（無効電力）が大きくなる。逆に、表示放電中にＺ電極の電位を変化させない駆動波形（図１１の駆動波形）によりパネルを駆動すると、放電発光に消費される電力は大きい（発光効率は低い）ものの、２つの電極（図１１の偶数フレームの場合は、ＸおよびＺ電極）に同一の波形を印加しているため、パネルの電極間容量の充放電電力は小さくなる。
【００６０】
図１３（ａ）はサブフレーム構成を示す図であり、また、図１３（ｂ）〜図１３（ｄ）はサブフレームＳＦ１およびＳＦｎの表示期間（維持放電期間）ＴＳにおいて、第１の駆動波形（図１０の駆動波形）を使用する期間Ｓ１および第２の駆動波形（図１１の駆動波形）を使用する期間Ｓ２の変化を示している。
【００６１】
図１３（ｂ）〜図１３（ｄ）に示されるように、各サブフレームの表示期間ＴＳは、第１の駆動波形が使用される期間Ｓ１と第２の駆動波形が使用される期間Ｓ２で構成され、期間Ｓ２の割合は０％から１００％の間で変化するように制御される。
【００６２】
図１３（ｂ）は、全てのサブフレームで第１の駆動波形（Ｓ１）のみが使用される状態を示し、図１３（ｃ）は、全てのサブフレームで第１の駆動波形（Ｓ１）と第２の駆動波形（Ｓ２）の両方が使用される状態を示し、そして、図１３（ｄ）は、サブフレームＳＦｎを含む一部のサブフレームでは第１の駆動波形（Ｓ１）と第２の駆動波形（Ｓ２）の両方が使用されるが、サブフレームＳＦ１を含む他のサブフレームでは第１の駆動波形（Ｓ１）のみが使用される状態を示している。なお、第１の駆動波形（Ｓ１）のみが使用されるサブフレームはサブフレームＳＦ１でなくてもよく、また、図示していないが、全てのサブフレームで第２の駆動波形（Ｓ２）のみが使用される状態などもある。
【００６３】
そして、本実施例では、表示負荷率が小さい時は、Ｚ電極の電位を変化させる駆動波形（図１２中の曲線Ｐ２，図１３中の期間Ｓ２）の比率を少なくすると共に、Ｚ電極の電位を変化させない駆動波形（図１２中の曲線Ｐ３，図１３中の期間Ｓ１）の比率を多くして表示放電を行い、逆に、表示負荷率の大きい時は、Ｚ電極の電位を変化させる駆動波形（Ｐ２，Ｓ２）の比率を多くすると共に、Ｚ電極の電位を変化させない駆動波形（Ｐ３，Ｓ１）の比率を少なくして表示放電を行うものである。
【００６４】
図１４および図１５は本発明に係るプラズマディスプレイ装置の一実施例における１つのセルの電極構造の変形例を模式的に示す図である。
【００６５】
図１４および図１５に示す変形例では、Ｚ電極２０が放電空間１９に露出するうになっている。すなわち、図１４に示す変形例は、Ｚ電極２０上に誘電体層を設けずにＺ電極２０を放電空間１９に露出させ、Ｘ−Ｚ電極間およびＹ−Ｚ電極間の放電をより低い電圧で行うようになっている。また、図１５に示す本変形例は、Ｚ電極２０を誘電体層１４上に形成することでＺ電極２０を放電空間１９に露出させ、Ｘ−Ｚ電極間およびＹ−Ｚ電極間の放電をより低い電圧で行うようになっている。
【００６６】
以上においては、主としてＡＬＩＳ構造のプラズマディスプレイパネルを例として説明したが、本発明はＡＬＩＳ構造のプラズマディスプレイパネルだけでなく、ストレートリブ構造のプラズマディスプレイパネル、或いは、より一般的に、１つの表示セルに対して表示放電に使用する少なくとも３本の表示電極が設けら、表示電極と放電空間との間には蛍光体層が形成されていない構造のプラズマディスプレイパネルを有するプラズマディスプレイ装置に対して幅広く適用することが可能である。
【００６７】
（付記１）
１つの表示セルに対して表示放電に使用する少なくとも３本の表示電極を設け、該表示電極と放電空間との間には蛍光体層が形成されていない構造のプラズマディスプレイパネルの駆動方法であって、
前記表示電極の少なくとも１本の表示電極の電位を前記表示放電中に変化させ、該表示放電の開始時および終了時において、当該少なくとも１本の表示電極の電位を異ならせるようにしたことを特徴とするプラズマディスプレイパネルの駆動方法。
【００６８】
（付記２）
付記１に記載のプラズマディスプレイパネルの駆動方法において、前記蛍光体層は第１の基板に設けられ、前記表示電極は該第１の基板に対向する第２の基板に設けられていることを特徴とするプラズマディスプレイパネルの駆動方法。
【００６９】
（付記３）
付記２に記載のプラズマディスプレイパネルの駆動方法において、前記表示電極は、前記１つの表示セルに対して３本の表示電極が設けられていることを特徴とするプラズマディスプレイパネルの駆動方法。
【００７０】
（付記４）
付記３に記載のプラズマディスプレイパネルの駆動方法において、前記３本の表示電極は、それぞれ前記第２の基板に平行に設けられていることを特徴とするプラズマディスプレイパネルの駆動方法。
【００７１】
（付記５）
付記４に記載のプラズマディスプレイパネルの駆動方法において、前記３本の表示電極のうち、中央の表示電極の電位を前記表示放電の開始時および終了時において異ならせるようにしたことを特徴とするプラズマディスプレイパネルの駆動方法。
【００７２】
（付記６）
付記２に記載のプラズマディスプレイパネルの駆動方法において、前記第１の基板には前記表示電極のいずれかとアドレス放電を行うアドレス電極が設けられていることを特徴とするプラズマディスプレイパネルの駆動方法。
【００７３】
（付記７）
付記１に記載のプラズマディスプレイパネルの駆動方法において、前記表示セルは、前記表示電極が伸びる方向と略垂直方向に隣接する表示セルの間に設けられたバリア電極によって放電空間が仕切られることを特徴とするプラズマディスプレイパネルの駆動方法。
【００７４】
（付記８）
付記７に記載のプラズマディスプレイパネルの駆動方法において、前記プラズマディスプレイパネルはＡＬＩＳ構造のパネルであり、
偶数フレームでは、該偶数フレームのセルとして設けられた連続する３本の組みの電極を前記表示電極として使用し、該３本の組みの表示電極の中央の電極の電位を前記表示放電の開始時および終了時において異ならせると共に、該偶数フレームの隣接するセル間の電極を該偶数フレームのバリア電極として使用し、且つ、
奇数フレームでは、該奇数フレームのセルとして設けられた前記偶数フレームにおけるバリア電極を中央の電極とした連続する３本の組みの電極を前記表示電極として使用し、該３本の組みの表示電極の中央の電極の電位を前記表示放電の開始時および終了時において異ならせると共に、前記偶数フレームの中央の電極を該奇数フレームのバリア電極として使用することを特徴とするプラズマディスプレイパネルの駆動方法。
【００７５】
（付記９）
付記８に記載のプラズマディスプレイパネルの駆動方法において、前記バリア電極は、前記表示放電中は所定の電位に固定されることを特徴とするプラズマディスプレイパネルの駆動方法。
【００７６】
（付記１０）
付記１に記載のプラズマディスプレイパネルの駆動方法において、
前記表示電極の少なくとも１本の表示電極の電位を前記表示放電の開始時および終了時において異ならせる第１の駆動波形と、
前記表示電極の少なくとも１本の表示電極の電位を前記表示放電中に変化させない第２の駆動波形を備え、
前記プラズマディスプレイパネルの表示負荷率が小さい時は、前記第１の駆動波形の比率を小さくして前記第２の駆動波形の比率を大きくし、且つ、該プラズマディスプレイパネルの表示負荷率が大きくなるに従って前記第１の駆動波形の比率が大きくして前記第２の駆動波形の比率を小さくして駆動を行うことを特徴とするプラズマディスプレイパネルの駆動方法。
【００７７】
（付記１１）
付記１に記載のプラズマディスプレイパネルの駆動方法において、前記少なくとも１本の表示電極上には誘電体層が設けられず、該少なくとも１本の表示電極が放電空間に露出していることを特徴とするプラズマディスプレイパネルの駆動方法。
【００７８】
（付記１２）
複数のＸ電極、該複数のＸ電極に略平行に配置され、該複数のＸ電極との間に放電を発生させる複数のＹ電極、および、該各Ｘ電極と該各Ｙ電極との間にそれぞれ設けられた複数のＺ電極を有するプラズマディスプレイパネルと、
該プラズマディスプレイパネルを駆動するドライバと、
画像信号を受け取って前記プラズマディスプレイパネルに適した画像データに変換すると共に、前記ドライバを介して前記プラズマディスプレイパネルを駆動する制御回路と、を備えるプラズマディスプレイ装置であって、
１つのセルを前記Ｘ電極および前記Ｙ電極と、該Ｘ電極および該Ｙ電極間の中央Ｚ電極で構成し、該中央Ｚ電極の電位を表示放電中に変化させ、該表示放電の開始時および終了時において、当該中央Ｚ電極の電位を異ならせるようにしたことを特徴とするプラズマディスプレイ装置。
【００７９】
（付記１３）
付記１２記載のプラズマディスプレイ装置において、
第１の基板には、前記Ｘ電極，前記Ｙ電極および前記Ｚ電極が形成され、
該第１の基板に対向する第２の基板には、前記Ｘ電極，前記Ｙ電極および前記Ｚ電極の何れかとアドレス放電を行うＡ電極および蛍光体層が形成されていることを特徴とするプラズマディスプレイ装置。
【００８０】
（付記１４）
付記１２に記載のプラズマディスプレイ装置において、前記プラズマディスプレイパネルはストレートリブ構造のパネルであり、前記Ｘ電極，前記Ｙ電極および前記Ｚ電極に直交する方向で隣接するセル間の前記Ｚ電極を、該隣接するセルの放電空間を仕切るバリアＺ電極として使用することを特徴とするプラズマディスプレイ装置。
【００８１】
（付記１５）
付記１４に記載のプラズマディスプレイ装置において、前記プラズマディスプレイパネルはＡＬＩＳ構造のパネルであり、
偶数フレームでは、該偶数フレームのセルにおける前記中央Ｚ電極の電位を前記表示放電の開始時および終了時において異ならせると共に、該偶数フレームの隣接するセル間の前記Ｚ電極を該偶数フレームのバリア電極として使用し、且つ、
奇数フレームでは、該奇数フレームのセルにおける前記中央Ｚ電極の電位を前記表示放電の開始時および終了時において異ならせると共に、前記偶数フレームの中央Ｚ電極を該奇数フレームのバリア電極として使用することを特徴とするプラズマディスプレイ装置。
【００８２】
（付記１６）
付記１５に記載のプラズマディスプレイ装置において、前記バリア電極は、前記表示放電中は所定の電位に固定されることを特徴とするプラズマディスプレイ装置。
【００８３】
（付記１７）
付記１２に記載のプラズマディスプレイ装置において、
前記中央Ｚ電極の電位を前記表示放電の開始時および終了時において異ならせる第１の駆動波形と、
前記中央Ｚ電極の電位を前記表示放電中に変化させない第２の駆動波形を備え、
前記プラズマディスプレイパネルの表示負荷率が小さい時は、前記第１の駆動波形の比率を小さくして前記第２の駆動波形の比率を大きくし、且つ、該プラズマディスプレイパネルの表示負荷率が大きくなるに従って前記第１の駆動波形の比率が大きくして前記第２の駆動波形の比率を小さくして駆動を行うことを特徴とするプラズマディスプレイ装置。
【００８４】
（付記１８）
付記１２に記載のプラズマディスプレイ装置において、前記Ｚ電極上には誘電体層が設けられず、該Ｚ電極が放電空間に露出していることを特徴とするプラズマディスプレイ装置。
【００８５】
（付記１９）
１つの表示セルに対して表示放電に使用する少なくとも３本の表示電極が設けられ、該表示電極と放電空間との間には蛍光体層が形成されていない構造のプラズマディスプレイパネルと、
該プラズマディスプレイパネルを駆動するドライバと、
画像信号を受け取って前記プラズマディスプレイパネルに適した画像データに変換すると共に、前記ドライバを介して前記プラズマディスプレイパネルを駆動する制御回路と、を備えるプラズマディスプレイ装置であって、前記付記１〜１１のいずれか１項に記載のプラズマディスプレイパネルの駆動方法を適用したことを特徴とするプラズマディスプレイ装置。
【産業上の利用可能性】
【００８６】
本発明は、ＡＬＩＳ構造のプラズマディスプレイパネルを始めとするストレートリブ構造のプラズマディスプレイパネルに適用することができ、さらに、１つの表示セルに対して表示放電に使用する少なくとも３本の表示電極が設けら、表示電極と放電空間との間には蛍光体層が形成されていない構造のプラズマディスプレイパネルを有するプラズマディスプレイ装置に対して幅広く適用することができる。なお、プラズマディスプレイ装置は、例えば、パーソナルコンピュータやワークステーション等のディスプレイ装置、平面型の壁掛けテレビジョン、或いは、広告や情報等を表示するための装置として利用されている。
【図面の簡単な説明】
【００８７】
【図１】従来のプラズマディスプレイ装置の一例を概略的に示すブロック図である。
【図２】図１に示すプラズマディスプレイ装置における駆動シーケンスを説明するための図である。
【図３】図１に示すプラズマディスプレイ装置における駆動波形を概略的に示す図である。
【図４】従来のプラズマディスプレイ装置の一例における１つのセルの電極構造を模式的に示す図である。
【図５】従来のプラズマディスプレイ装置の一例における表示放電の駆動波形を概略的に示す図である。
【図６】本発明に係るプラズマディスプレイ装置の一実施例における１つのセルの電極構造を模式的に示す図である。
【図７】本発明に係るプラズマディスプレイ装置の一実施例における表示放電の駆動波形を概略的に示す図である。
【図８】本発明に係るプラズマディスプレイ装置の一実施例における表示パネルの全体的な電極構造を模式的に示す図である。
【図９】本発明に係るプラズマディスプレイ装置の一実施例における１つのセルの電極構造の一例を説明するための図である。
【図１０】本発明に係るプラズマディスプレイ装置の一実施例における表示放電の駆動波形を概略的に示す図（その１）である。
【図１１】本発明に係るプラズマディスプレイ装置の一実施例における表示放電の駆動波形を概略的に示す図（その２）である。
【図１２】本発明に係るプラズマディスプレイ装置の他の実施例における表示放電の駆動波形の切り換えを説明するための図（その１）である。
【図１３】本発明に係るプラズマディスプレイ装置の他の実施例における表示放電の駆動波形の切り換えを説明するための図（その２）である。
【図１４】本発明に係るプラズマディスプレイ装置の一実施例における１つのセルの電極構造の変形例を模式的に示す図（その１）である。
【図１５】本発明に係るプラズマディスプレイ装置の一実施例における１つのセルの電極構造の変形例を模式的に示す図（その２）である。
【符号の説明】
【００８８】
１    プラズマディスプレイパネル（ＰＤＰ）
１０    表示セル
１１    前面側の基板
１２    Ｘ電極
１３    Ｙ電極
１４，１７    誘電体層
１５    背面側の基板
１６    アドレス電極（Ａ電極）
１８    蛍光体層
１９    放電空間
７１    制御回路（制御ブロック）
７３    電源回路
７５    Ｘドライバ
７７    Ｙドライバ
７９    Ａドライバ（アドレスドライバ）
１００    プラズマディスプレイ装置
７１０    データ変換回路
７２０    フレームメモリ
７３０    ドライバコントローラ
７４０    ＡＰＣ演算回路
７５０    パルス数テーブル
【図１】
2006184514.tif 000003
【図２】
2006184514.tif 000004
【図３】
2006184514.tif 000005
【図４】
2006184514.tif 000006
【図５】
2006184514.tif 000007
【図６】
2006184514.tif 000008
【図７】
2006184514.tif 000009
【図８】
2006184514.tif 000010
【図９】
2006184514.tif 000011
【図１０】
2006184514.tif 000012
【図１１】
2006184514.tif 000013
【図１２】
2006184514.tif 000014
【図１３】
2006184514.tif 000015
【図１４】
2006184514.tif 000016
【図１５】
2006184514.tif 000017